(57)【要約】【課題】調光率１００％を超え、かつ、所望の色温度の照明光を出射できる照明装置を提供する。【解決手段】照明装置１０は、所定の広さの部屋に設置され、照明光を出射する照明装置１０であって、色温度が互いに異なる少なくとも二つの光源（第一光源４１、第二光源４２）と、少なくとも二つの光源の各々の出射光の光束を制御する制御部６０とを備え、制御部６０は、制御モードとして、第一モードと、第二モードとを有し、第一モードにおいて、照明光の光束は、所定の広さに適した光束の最大値であり、第二モードにおいて、照明光の光束は、第一モードにおける照明光の光束より大きく、かつ、照明光の色温度は、第一モードにおける照明光の色温度と異なる。【選択図】図１
2020140765.tif 000002
【特許請求の範囲】
【請求項１】
所定の広さの部屋に設置され、照明光を出射する照明装置であって、
色温度が互いに異なる少なくとも二つの光源と、
前記少なくとも二つの光源の各々の出射光の光束を制御する制御部とを備え、
前記制御部は、制御モードとして、第一モードと、第二モードとを有し、
前記第一モードにおいて、前記照明光の光束は、前記所定の広さに適した光束の最大値であり、
前記第二モードにおいて、前記照明光の光束は、前記第一モードにおける前記照明光の光束より大きく、かつ、前記照明光の色温度は、前記第一モードにおける前記照明光の色温度と異なる
照明装置。
【請求項２】
前記第二モードにおいて、前記照明光の色温度は、前記第一モードにおける前記照明光の色温度より高い
請求項１に記載の照明装置。
【請求項３】
前記第二モードにおいて、前記照明光の色温度は、前記第一モードにおける前記照明光の色温度より低い
請求項１に記載の照明装置。
【請求項４】
前記少なくとも二つの光源は、出射光の色温度が６０００Ｋ以上、７０００Ｋ以下の第一光源と、出射光の色温度が２６００Ｋ以上、２９００Ｋ以下の第二光源とを含む
請求項１〜３のいずれか１項に記載の照明装置。
【請求項５】
前記第二モードにおいて前記第一光源に供給される電流値は、前記第一モードにおいて前記第一光源に供給される電流値より大きい
請求項４に記載の照明装置。
【請求項６】
前記第二モードにおいて前記第二光源に供給される電流値は、前記第一モードにおいて前記第二光源に供給される電流値と等しい
請求項５に記載の照明装置。
【請求項７】
前記第二モードにおいて前記第二光源に供給される電流値は、前記第一モードにおいて前記第二光源に供給される電流値より大きい
請求項４に記載の照明装置。
【請求項８】
前記第二モードにおいて前記第一光源に供給される電流値は、前記第一モードにおいて前記第一光源に供給される電流値と等しい
請求項７に記載の照明装置。
【請求項９】
前記制御部は、前記第二モードでの制御の開始から所定の制限時間が経過した後に、前記第二モードでの制御を終了する
請求項１〜８のいずれか１項に記載の照明装置。
【請求項１０】
前記制御部は、前記第二モードでの制御の開始から所定の制限時間が経過した後に、前記第一モードでの制御を行う
請求項１〜９のいずれか１項に記載の照明装置。
【発明の詳細な説明】
【技術分野】
【０００１】
本発明は、照明装置に関する。
【背景技術】
【０００２】
従来、調光可能な照明装置が知られている。照明装置が屋内において使用される場合に、照明装置によって照明される部屋の明るさの範囲は、一般社団法人日本照明工業会によって、部屋の広さに応じて規定されている。調光可能な照明装置においては、部屋の広さに適した光束の照明光を調光率１００％の照明光として、より少ない光束の照明光を出射できる。
【０００３】
照明装置においては、例えば、細かい文字を読む場合などに、調光率１００％の照明光より明るい照明光が必要とされる場合がある。特許文献１には、調光率１００％における光束を超える光束を出射できる照明装置が記載されている。特許文献１に記載された照明装置においては、光源として用いられるＬＥＤ（Ｌｉｇｈｔ  Ｅｍｉｔｔｉｎｇ  Ｄｉｏｄｅ）の定格出力における光束が、調光率１００％における光束より大きいことを利用して、調光率１００％における光束を超える光束を出射している。つまり、特許文献１に記載された照明装置においては、ＬＥＤに、調光率１００％における光束を超え、かつ、定格出力における光束以下の光束を出射させることで、調光率１００％における光束を超える光束を得ている。
【先行技術文献】
【特許文献】
【０００４】
【特許文献１】特開２０１５−１１８７５９号公報
【発明の概要】
【発明が解決しようとする課題】
【０００５】
しかしながら、特許文献１に記載された照明装置においては、調光率１００％における光束を超える場合に、調光率１００％における色温度に固定されるため、所望の色温度の照明光を得られない。
【０００６】
そこで、本発明は、調光率１００％を超え、かつ、所望の色温度の照明光を出射できる照明装置を提供することを目的とする。
【課題を解決するための手段】
【０００７】
上記目的を達成するために、本発明に係る照明装置の一態様は、所定の広さの部屋に設置され、照明光を出射する照明装置であって、色温度が互いに異なる少なくとも二つの光源と、前記少なくとも二つの光源の各々の出射光の光束を制御する制御部とを備え、前記制御部は、制御モードとして、第一モードと、第二モードとを有し、前記第一モードにおいて、前記照明光の光束は、前記所定の広さに適した光束の最大値であり、前記第二モードにおいて、前記照明光の光束は、前記第一モードにおける前記照明光の光束より大きく、かつ、前記照明光の色温度は、前記第一モードにおける前記照明光の色温度と異なる。
【発明の効果】
【０００８】
本発明の一態様によれば、調光率１００％を超え、かつ、所望の色温度の照明光を出射できる照明装置を提供できる。
【図面の簡単な説明】
【０００９】
【図１】図１は、実施の形態１に係る照明装置の全体構成を示す概略回路図である。
【図２】図２は、実施の形態１に係る照明装置からの照明光の光束及び色温度の関係の一例を示す模式的なグラフである。
【図３】図３は、実施の形態１に係る照明装置の制御方法の一例を示すフローチャートである。
【図４】図４は、実施の形態２に係る照明装置の全体構成を示す概略回路図である。
【図５】図５は、実施の形態２に係る照明装置からの照明光の光束及び色温度の関係の一例を示す模式的なグラフである。
【発明を実施するための形態】
【００１０】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
実施の形態１に係る照明装置について説明する。
【００１３】
［１−１．全体構成］
まず、本実施の形態に係る照明装置の全体構成について、図１を用いて説明する。図１は、本実施の形態に係る照明装置１０の全体構成を示す概略回路図である。図１には、入力電源２と、照明装置１０を操作するためのリモートコントローラ（リモコン）７０とが併せて示されている。
【００１４】
照明装置１０は、所定の広さの部屋に設置され、照明光を出射する装置である。照明装置１０の形状などは、特に限定されない。照明装置１０は、例えば、シーリングライトである。また、照明装置１０は、ランプなどであってもよい。照明装置１０は、色温度が互いに異なる少なくとも二つの光源と、少なくとも二つの光源の各々の出射光の光束を制御する制御部６０とを備える。本実施の形態では、少なくとも二つの光源は、第一光源４１と、第二光源４２とを含む。また、照明装置１０は、電源回路２０と、少なくとも二つの点灯回路とをさらに備える。
【００１５】
第一光源４１及び第二光源４２は、互いに色温度が異なる光源である。第一光源４１は、例えば、出射光の色温度が６０００Ｋ以上、７０００Ｋ以下の光源である。第二光源４２は、例えば、出射光の色温度が２６００Ｋ以上、２９００Ｋ以下の光源である。本実施の形態では、第一光源４１の色温度は、６５００Ｋであり、第二光源４２の色温度は、２７００Ｋである。以上のような、色温度の第一光源４１及び第二光源４２を用いることにより、昼白色から電球色までの範囲において、調色可能な照明装置１０を実現できる。第一光源４１及び第二光源４２として、例えば、一つ以上のＬＥＤチップを備える白色ＬＥＤ光源を用いることができる。第一光源４１及び第二光源４２の各々は、一つのＬＥＤチップを備えてもよいし、直列又は並列に接続された複数のＬＥＤチップを備えてもよい。
【００１６】
入力電源２は、照明装置１０に交流電力を供給する系統電源である。入力電源２は、例えば、商用交流電源である。
【００１７】
電源回路２０は、入力電源２から入力された電圧を変換して出力する回路である。本実施の形態では、電源回路２０は、交流電圧を直流電圧に変換する回路である。電源回路２０は、例えば、ダイオードブリッジなどの整流回路、平滑コンデンサ、ブーストコンバータなどを有する。
【００１８】
少なくとも二つの点灯回路は、それぞれ、少なくとも二つの光源に電流を供給する回路である。つまり、少なくとも二つの点灯回路のうちの一つは、少なくとも二つの光源のうちの一つに電流を供給する。本実施の形態では、少なくとも二つの点灯回路は、第一点灯回路３１と、第二点灯回路３２とを含む。
【００１９】
第一点灯回路３１は、第一光源４１に電流を供給する回路である。本実施の形態では、第一点灯回路３１は、電源回路２０から直流電圧を入力され、制御部６０から受信した制御信号に基づいて第一光源４１に直流電流を供給する。第二点灯回路３２は、第二光源４２に電流を供給する回路である。本実施の形態では、第二点灯回路３２は、電源回路２０から直流電圧を入力され、制御部６０から受信した制御信号に基づいて第二光源４２に直流電流を供給する。第一点灯回路３１及び第二点灯回路３２として、例えば、バックコンバータなどのＤＣ／ＤＣコンバータなどを用いることができる。
【００２０】
制御部６０は、少なくとも二つの光源の各々の出射光の光束を制御する処理部である。本実施の形態では、制御部６０は、リモートコントローラ７０から送信された操作信号などに基づいて第一点灯回路３１及び第二点灯回路３２を制御することによって、第一光源４１及び第二光源４２の出射光の光束を制御する。制御部６０は、第一点灯回路３１を制御するための制御信号を第一点灯回路３１に送信し、第二点灯回路３２を制御するための制御信号を第二点灯回路３２に送信する。制御部６０は、例えば、プログラムを内蔵したマイクロコンピュータなどで実現される。
【００２１】
リモートコントローラ７０は、照明装置１０を遠隔操作する装置である。リモートコントローラ７０は、ユーザの操作に基づいて、照明装置１０の制御部６０に操作信号を送信することによって、照明装置１０を遠隔操作する。リモートコントローラ７０は、無線通信又は有線通信によって操作信号を送信する。本実施の形態では、リモートコントローラ７０は、赤外線通信などの無線通信によって操作信号を送信する。
【００２２】
［１−２．照明光の光束及び色温度］
次に、本実施の形態に係る照明装置１０からの照明光の光束及び色温度について図２を用いて説明する。図２は、本実施の形態に係る照明装置１０からの照明光の光束及び色温度の関係の一例を示す模式的なグラフである。図２の横軸及び縦軸は、それぞれ、照明光の色温度及び光束を示す。本実施の形態では、第一光源４１及び第二光源４２からの各光束を合計した全光束が、照明光の光束に相当する。
【００２３】
照明装置１０の制御部６０は、制御モードとして、通常モードと、第一モードと、第二モードとを有する。
【００２４】
通常モードにおいては、制御部６０は、色温度６５００Ｋの第一光源４１の光束を０から第一通常上限値ＬＦ１までの範囲で制御し、色温度２７００Ｋの第二光源４２の光束を０から第二通常上限値ＬＦ２までの範囲で制御する。これに伴い、照明光の色温度及び光束は、図２に示される斜線でハッチングされた領域内で調整される。
【００２５】
上述の制御部６０が有する制御モードのうち、第一モードは、通常モードに含まれる。第一モードにおいて、照明光の光束は、照明装置１０が設置される部屋の所定の広さに適した光束の最大値である。言い換えると、第一モードは、照明装置１０の通常モードにおける全灯状態に対応する制御モードである。図２に示される例では、第一モードにおいて、照明装置１０は、図２に示される点Ｍ１に相当する色温度がＴ１［Ｋ］の照明光を出射する。第一モードにおける照明光の色温度Ｔ１は、２７００Ｋより高く、６５００Ｋより低ければ特に限定されない。第一モードにおける色温度Ｔ１は、例えば、６２００Ｋであってもよい。このように、第一モードにおける照明光を昼白色とすることで、細かい文字などを見やすく、かつ、明るい照明光を実現できる。第一モードにおける照明光の光束ＬＦＭ１が調光率１００％における光束と定められる。図２に示される点Ｍ１の照明光の光束ＬＦＭ１は、一般社団法人日本照明工業会によって、部屋の畳数に応じて定められている部屋の明るさの範囲の最大値に相当する。以下では、この点Ｍ１の照明光の光束ＬＦＭ１を、照明装置１０が設置される部屋の「所定の広さに適した光束の最大値」ともいう。この最大値は、上述のとおり所定の広さに応じて変化する。
【００２６】
上述のとおり、通常モードにおいては、第一光源４１の光束は、０から第一通常上限値ＬＦ１までの範囲で変化する。第一通常上限値ＬＦ１の光束を出射させる場合に第一光源４１に供給される電流値は、第一光源４１の定格電流より低く設定される。また、第二光源４２の光束は、０から第二通常上限値ＬＦ２までの範囲で変化する。第二通常上限値ＬＦ２の光束を出射させる場合に第二光源４２に供給される電流値は、第二光源４２の定格電流より低く設定される。以上のように第一光源４１及び第二光源４２に供給される電流が設定されることにより、通常モードにおいて、第一光源４１及び第二光源４２に定格電流を超える電流が供給されることをより確実に防ぐことができる。
【００２７】
制御部６０の制御モードに含まれる第二モードにおいては、第一モードにおいて第一光源４１と第二光源４２とに供給される電流が定格電流より小さいことを利用して、第一光源４１及び第二光源４２の少なくとも一方の光束を第一モードより大きくする。この場合、第二モードにおいて第一光源４１に供給される電流値は、第一モードにおいて第一光源４１に供給される電流値より大きい。言い換えると、第二モードにおいて第一点灯回路３１が第一光源４１に供給する電流値は、第一モードにおいて第一点灯回路３１が第一光源４１に供給する電流値より大きい。第二モードにおいて、照明光の光束は、第一モードにおける照明光の光束より大きく、かつ、照明光の色温度は、第一モードにおける照明光の色温度と異なる。これにより、調光率１００％である第一モードより明るい照明光を実現でき、かつ、照明光の色温度を第一モードにおける照明光の色温度と異なる所望の色温度に調整できる。
【００２８】
本実施の形態では、第二モードにおいて、照明光の色温度は、第一モードにおける照明光の色温度より高い。この場合、照明光の光束及び色温度は、図２の領域Ｍ２ａで示される範囲内で調整され得る。このように、第一モードにおける照明光より高い色温度を有する照明光によれば、第一モードにおける照明光を用いる場合より、細かい文字などを見やすくなる。
【００２９】
本実施の形態において、第二モードにおける照明光の光束が、第一モードにおける照明光の光束より大きく、かつ、第二モードにおける照明光の色温度が第一モードにおける照明光の色温度より高いという条件が満たされれば、第二モードにおいて第二光源４２に供給される電流値は特に限定されない。例えば、第二モードにおいて第二光源４２に供給される電流値は、第一モードにおいて第二光源４２に供給される電流値と等しくてもよい。
【００３０】
また、一般に、昼白色の白色光を出射するＬＥＤチップのなどの光源の方が、電球色の白色光を出射するＬＥＤチップよりも電力変換効率が高い。したがって、本実施の形態に係る照明装置１０では、第二モードにおいて第一モードと同じ色温度の照明光を出射する場合より、電力変換効率を高めることができる。
【００３１】
図２に示される例では、第二モードにおいて、第一光源４１の光束は、第一通常上限値ＬＦ１より大きく、第一定格上限値ＬＦ１ｒ以下の範囲で変化し得る。また、第二光源４２の光束は、０以上、第二定格上限値ＬＦ２ｒ以下の範囲で変化し得る。これにより、照明装置１０は、図２に示される領域Ｍ２ａの色温度及び光束を有する照明光を出射できる。なお、図２に示される一点鎖線は、２７００Ｋより高く、６５００Ｋより低い色温度の範囲において、第一光源４１及び第二光源４２によって実現し得る最大の光束を示す。
【００３２】
図２に示されるように、領域Ｍ２ａにおいては、光束の最大値は、ＬＦａとなる。本実施の形態では、光束が最大となる場合の照明光の色温度は、Ｔ１と同程度であるが、Ｔ１よりわずかに高い。なお、本実施の形態では、第二モードにおいて、光束が最大となる色温度はＴ１と同程度であるが、光束が最大となる色温度はＴ１より高く、第一光源４１の色温度より低ければ特に限定されない。
【００３３】
［１−３．制御方法］
次に、本実施の形態に係る照明装置１０において第二モードで制御する場合の制御方法の一例について説明する。照明装置１０において、制御モードの切り替えは、リモートコントローラ７０などを操作することによって自在に行うことができる。なお、長時間にわたって第二モードで制御を行うことに起因する各光源の劣化が問題となり得る場合には、第二モードでの制御に制限時間を設けてもよい。以下、第二モードでの制御に制限時間を設ける例について、図３を用いて説明する。図３は、本実施の形態に係る照明装置１０の制御方法の一例を示すフローチャートである。
【００３４】
図３に示されるように、まず、制御部６０は、第二モードでの制御の開始を指示する第二モード開始信号を受信する（Ｓ１２）。本実施の形態では、制御部６０は、ユーザによって操作されたリモートコントローラ７０などから、第二モード開始信号を受信する。なお、第二モード開始信号は、リモートコントローラ７０以外から受信してもよいし、制御部６０において、第二モード開始信号を生成してもよい。例えば、制御部６０において、タイマー機能を用いて、所定のタイミングで第二モード開始信号を生成してもよい。
【００３５】
続いて、制御部６０は、第二モードでの制御を開始する（Ｓ１４）。つまり、制御部６０は、照明光の光束が、第一モードにおける照明光の光束より大きく、かつ、照明光の色温度が、第一モードにおける照明光の色温度と異なるように、第一光源４１及び第二光源４２の各光束を制御する。本実施の形態では、制御部６０は、照明光の色温度が第一モードにおける照明光の色温度より高くなるように第一光源４１及び第二光源４２を制御する。
【００３６】
続いて、制御部６０は、第二モードの継続時間が、予め定められた制限時間を経過しているか否かを判定する（Ｓ１６）。より具体的には、制御部６０は、タイマー機能などを用いて、第二モードの継続時間と、所定の制限時間とを比較する。
【００３７】
ここで、第二モードの継続時間が、所定の制限時間を経過していない場合には（Ｓ１６でＮｏ）、再度ステップＳ１６を行う。一方、第二モードの継続時間が、所定の制限時間を経過している場合には（Ｓ１６でＹｅｓ）、制御部６０は、第二モードでの制御を終了する（Ｓ１８）。
【００３８】
以上のように、本実施の形態に係る照明装置１０において、制御部６０は、第二モードでの制御の開始から予め定められた制限時間が経過した後に第二モードでの制御を終了する。これにより、第二モードでの制御において、第一光源４１及び第二光源４２に定格電流に近い電流を供給する場合にも、第一光源４１及び第二光源４２の寿命の短縮を抑制できる。
【００３９】
制御部６０は、第二モードでの制御を終了した後において、通常モードで制御を行う。制御部６０は、例えば、第一モードでの制御を行ってもよい。これにより、第二モードでの制御終了時における、照明光の光束の変化を最小限に抑制できる。このため、第二モードでの制御終了時における照明光の変化を抑制できる。
【００４０】
［１−４．まとめ］
以上のように、本実施の形態に係る照明装置１０は、所定の広さの部屋に設置され、照明光を出射する照明装置１０であって、色温度が互いに異なる少なくとも二つの光源と、少なくとも二つの光源の各々の出射光の光束を制御する制御部６０とを備える。制御部６０は、制御モードとして、第一モードと、第二モードとを有する。第一モードにおいて、照明光の光束は、所定の広さに適した光束の最大値であり、第二モードにおいて、照明光の光束は、第一モードにおける照明光の光束より大きく、かつ、照明光の色温度は、第一モードにおける照明光の色温度と異なる。
【００４１】
これにより、調光率１００％である第一モードより明るい照明光を実現でき、かつ、照明光の色温度を第一モードにおける照明光の色温度と異なる所望の色温度に調整できる照明装置１０を実現できる。
【００４２】
また、照明装置１０において、第二モードにおいて、照明光の色温度は、第一モードにおける照明光の色温度より高くてもよい。
【００４３】
これにより、照明装置１０は、第二モードにおいて、第一モードにおける照明光より細かい文字などを見やすい色温度の照明光を出射できる。
【００４４】
また、照明装置１０において、少なくとも二つの光源は、出射光の色温度が６０００Ｋ以上、７０００Ｋ以下の第一光源４１と、出射光の色温度が２６００Ｋ以上、２９００Ｋ以下の第二光源４２とを含んでもよい。
【００４５】
これにより、昼白色から電球色までの範囲において、調色可能な照明装置１０を実現できる。
【００４６】
また、照明装置１０において、第二モードにおいて第一光源４１に供給される電流値は、第一モードにおいて第一光源４１に供給される電流値より大きくてもよい。
【００４７】
また、照明装置１０において、第二モードにおいて第二光源４２に供給される電流値は、第一モードにおいて第二光源４２に供給される電流値と等しくてもよい。
【００４８】
また、照明装置１０において、制御部６０は、第二モードでの制御の開始から所定の制限時間が経過した後に第二モードでの制御を終了してもよい。
【００４９】
これにより、第二モードでの制御において、第一光源４１及び第二光源４２に定格電流に近い電流を供給する場合にも、第一光源４１及び第二光源４２の寿命の短縮を抑制できる。
【００５０】
また、照明装置１０において、第二モードでの制御を終了した後において、制御部６０は、第一モードでの制御を行ってもよい。
【００５１】
これにより、第二モードでの制御終了時における、照明光の光束の変化を最小限に抑制できる。このため、第二モードでの制御終了時における照明光の変化を抑制できる。
【００５２】
（実施の形態２）
実施の形態２に係る照明装置について説明する。本実施の形態に係る照明装置は、第二モードにおける照明光の色温度において、実施の形態１に係る照明装置１０と相違する。以下、本実施の形態に係る照明装置について、実施の形態１に係る照明装置１０との相違点を中心に図４及び図５を用いて説明する。
【００５３】
図４は、本実施の形態に係る照明装置１１０の全体構成を示す概略回路図である。本実施の形態に係る照明装置１１０は、色温度が互いに異なる少なくとも二つの光源と、少なくとも二つの光源の各々の出射光の光束を制御する制御部１６０とを備える。図４に示されるように、少なくとも二つの光源は、第一光源４１と、第二光源４２とを含む。照明装置１１０は、電源回路２０と、少なくとも二つの点灯回路とをさらに備える。少なくとも二つの点灯回路は、第一点灯回路３１と、第二点灯回路３２とを含む。
【００５４】
本実施の形態に係る第一光源４１、第二光源４２、第一点灯回路３１、第二点灯回路３２及び電源回路２０は、それぞれ、実施の形態１に係る第一光源４１、第二光源４２、第一点灯回路３１、第二点灯回路３２及び電源回路２０と同様の構成を有する。
【００５５】
制御部１６０は、実施の形態１に係る制御部６０と同様に、少なくとも二つの光源の各々の出射光の光束を制御する処理部である。本実施の形態では、制御部１６０は、リモートコントローラ７０から送信された操作信号などに基づいて第一点灯回路３１及び第二点灯回路３２を制御することによって、第一光源４１及び第二光源４２の出射光の光束を制御する。また、制御部１６０は、制御モードとして、通常モードと、第一モードと、第二モードとを有する。通常モード及び第一モードは、それぞれ、実施の形態１に係る通常モード及び第一モードと同様である。本実施の形態に係る第二モードにおいて、実施の形態１に係る第二モードと同様に、照明光の光束は、第一モードにおける照明光の光束より大きく、かつ、照明光の色温度は、第一モードにおける照明光の色温度と異なる。本実施の形態では、第二モードにおいて、照明光の色温度は、第一モードにおける照明光の色温度より低い。
【００５６】
ここで、本実施の形態に係る照明装置１１０の照明光の光束及び色温度について図５を用いて説明する。図５は、本実施の形態に係る照明装置１１０からの照明光の光束及び色温度の関係の一例を示す模式的なグラフである。図５の横軸及び縦軸は、それぞれ、照明光の色温度及び光束を示す。本実施の形態においても実施の形態１と同様に、第一光源４１及び第二光源４２からの各光束を合計した全光束が、照明光の光束に相当する。
【００５７】
本実施の形態では、第二モードにおいて、照明光の光束及び色温度は、図５の領域Ｍ２ｂで示される範囲内で調整され得る。なお、図５に示される一点鎖線は、図２と同様に、２７００Ｋより高く、６５００Ｋより低い色温度の範囲において、第一光源４１及び第二光源４２によって実現し得る最大の光束を示す。図５に示されるように、領域Ｍ２ｂにおいては、光束の最大値は、ＬＦｂとなる。本実施の形態では、光束が最大となる場合の照明光の色温度Ｔ２は、第一モードにおける色温度Ｔ１より低く、第二光源４２の色温度より高ければ特に限定されない。
【００５８】
以上のように、第二モードにおいて、照明光の色温度は、第一モードの色温度より低い。言い換えると、本実施の形態に係る照明装置１１０では、実施の形態１に係る照明装置１０の照明光と比較して、第二モードにおける第二光源４２からの光束の割合が多い。この場合、第二モードにおいて第二光源４２に供給される電流値は、第一モードにおいて第二光源４２に供給される電流値より大きい。言い換えると、第二モードにおいて第二点灯回路３２が第二光源４２に供給する電流値は、第一モードにおいて第二点灯回路３２が第二光源４２に供給する電流値より大きい。ここで、一般に、通常モードにおいて、電球色に相当する色温度を有する光源より、昼白色に相当する色温度を有する光源の方が、定格電流に近い電流が供給される傾向にある。このため、第一モードにおいては、第二光源４２より第一光源４１の方がより大きいストレスが印加されている。逆に言うと、第二光源４２の方が第一光源４１より、光束を増大させる余地が大きい。したがって、本実施の形態に係る照明装置１１０のように、第一光源４１の光束を第一モードにおける光束より増大させるより、第二光源４２の光束を第一モードにおける光束より増大させる方が、光源に印加されるストレスは低減され得る。したがって、本実施の形態に係る照明装置１１０の方が、第二モードにおいて、照明光の色温度を第一モードの色温度と同一とする場合より、各光源に印加されるストレスを抑制し得る。これに伴い、第二モードでの制御による各光源の寿命の短縮を抑制できる。
【００５９】
本実施の形態において、第二モードにおける照明光の光束が、第一モードにおける照明光の光束より大きく、かつ、第二モードにおける照明光の色温度が第一モードにおける照明光の色温度より低いという条件が満たされれば、第二モードにおいて第一光源４１に供給される電流値は特に限定されない。例えば、第二モードにおいて第一光源４１に供給される電流値は、第一モードにおいて第一光源４１に供給される電流値と等しくてもよい。
【００６０】
（変形例など）
以上、本発明の照明装置について、各実施の形態に基づいて説明したが、本発明は、上記各実施の形態に限定されるものではない。
【００６１】
例えば、上記各実施の形態においては、少なくとも二つの光源が第一光源４１と第二光源４２だけを含む例を示したが、少なくとも二つの光源の構成はこれに限定されない。少なくとも二つの光源は、三つ以上の互いに色温度の異なる光源を含んでもよい。また、光源の個数に合わせて、点灯回路の個数も三つ以上としてもよい。
【００６２】
また、各光源は、ＬＥＤチップ以外の固体発光素子を用いた光源であってもよい。例えば、光源２７は、有機ＥＬ（Ｅｌｅｃｔｒｏ  Ｌｕｍｉｎｅｓｃｅｎｃｅ）素子であってもよい。
【００６３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６４】
１０、１１０  照明装置
２０  電源回路
４１  第一光源
４２  第二光源
６０、１６０  制御部
【図１】
2020140765.tif 000003
【図２】
2020140765.tif 000004
【図３】
2020140765.tif 000005
【図４】
2020140765.tif 000006
【図５】
2020140765.tif 000007